(57)【特許請求の範囲】
【請求項１】
一台の室外機に複数台の室内機が接続される多室型空気調和機であって、
前記複数台の室内機自体または前記複数台の室内機の運転指示を行うリモコンに設けられ、他室の室内機と連動して内部を乾燥させる乾燥運転を実施するか否かを選択する選択手段と、
前記複数の室内熱交換器のそれぞれへの冷媒量を絞る複数の絞り手段と、
前記室内熱交換器での熱交換を促進させ室内へ送風する室内送風機と、
制御装置と、を備え、
前記制御装置は、前記選択手段の選択内容に応じて、一室の室内機が前記乾燥運転を実施している間の他室の室内機の運転状態を変更するように構成され、
前記制御装置は、一室の室内機が乾燥運転を実施している間は、前記選択手段で連動しないことを選択している室内機の室内熱交換器への冷媒量を所定量以下に絞り、かつ、前記選択手段で連動しないことを選択している室内機の室内送風機の運転を停止し、
前記制御装置は、一室の室内機が乾燥運転を実施している間は、前記選択手段で連動しないことを選択している室内機の風向変更羽を、気流が放出されるのを防ぐ方向に駆動させることを特徴とする多室型空気調和機。
【請求項２】
前記乾燥運転は暖房サイクルでの運転を行うことを特徴とする請求項１に記載の多室型空気調和機。
【発明の詳細な説明】
【技術分野】
【０００１】
本発明は、１台の室外機に複数台の室内機を接続する多室型空気調和機に関する。
【背景技術】
【０００２】
従来の空気調和機では、室内機の内部を一時的に高温状態に保ち、カビにストレスを与えることによって、カビの成長を抑制するように制御されている（例えば、特許文献１参照）。
【先行技術文献】
【特許文献】
【０００３】
【特許文献１】特開２００３−３２９２９０号公報
【発明の概要】
【発明が解決しようとする課題】
【０００４】
しかしながら、前記従来の構成は１台の室内機が接続されているシングル型の空気調和機のため、多室型空気調和機に従来のような制御を採用すると、一つの室内機に対して乾燥暖房運転を行うと、全部の室内機に対して乾燥暖房運転を行うことになってしまい、快適性を低下させてしまうという課題を有していた。
【０００５】
本発明は、前記従来の課題を解決するもので、快適性を損なうことの無い多室型空気調和機を提供することを目的とする。
【課題を解決するための手段】
【０００６】
前記従来の課題を解決するために、本発明の多室型空気調和機は、一台の室外機に複数台の室内機が接続される多室型空気調和機であって、前記複数台の室内機自体または前記複数台の室内機の運転指示を行うリモコンに設けられ、他室の室内機と連動して内部を乾燥させる乾燥運転を実施するか否かを選択する選択手段と、前記複数の室内熱交換器のそれぞれへの冷媒量を絞る複数の絞り手段と、前記室内熱交換器での熱交換を促進させ室内へ送風する室内送風機と、制御装置と、を備え、前記制御装置は、前記選択手段の選択内容に応じて、一室の室内機が前記乾燥運転を実施している間の他室の室内機の運転状態を変更するように構成され、前記制御装置は、一室の室内機が乾燥運転を実施している間は、前記選択手段で連動しないことを選択している室内機の室内熱交換器への冷媒量を所定量以下に絞り、かつ、前記選択手段で連動しないことを選択している室内機の室内送風機の運転を停止し、前記制御装置は、一室の室内機が乾燥運転を実施している間は、前記選択手段で連動しないことを選択している室内機の風向変更羽を、気流が放出されるのを防ぐ方向に駆動させることにより、快適性の低下を防ぐことができる。
【発明の効果】
【０００７】
本発明は、快適性を損なうことの無い多室型空気調和機を提供することができる。
【図面の簡単な説明】
【０００８】
【図１】本発明の実施の形態１における空気調和機の構成図
【図２】同実施の形態１におけるブロック図
【図３】同実施の形態１におけるフローチャート
【発明を実施するための形態】
【０００９】
第１の発明の多室型空気調和機は、一台の室外機に複数台の室内機が接続される多室型空気調和機であって、前記複数台の室内機自体または前記複数台の室内機の運転指示を行うリモコンに設けられ、他室の室内機と連動して内部を乾燥させる乾燥運転を実施するか否かを選択する選択手段と、前記複数の室内熱交換器のそれぞれへの冷媒量を絞る複数の絞り手段と、前記室内熱交換器での熱交換を促進させ室内へ送風する室内送風機と、制御装置と、を備え、前記制御装置は、前記選択手段の選択内容に応じて、一室の室内機が前
記乾燥運転を実施している間の他室の室内機の運転状態を変更するように構成され、前記制御装置は、一室の室内機が乾燥運転を実施している間は、前記選択手段で連動しないことを選択している室内機の室内熱交換器への冷媒量を所定量以下に絞り、かつ、前記選択手段で連動しないことを選択している室内機の室内送風機の運転を停止し、前記制御装置は、一室の室内機が乾燥運転を実施している間は、前記選択手段で連動しないことを選択している室内機の風向変更羽を、気流が放出されるのを防ぐ方向に駆動させることにより、快適性の低下を防ぐことができる。
【００１０】
また、室内空気と冷媒とが熱交換を行う複数の室内熱交換器と、複数の室内熱交換器のそれぞれへの冷媒量を絞る複数の絞り手段とを備え、一室の室内機が乾燥運転を実施している間は、選択手段で連動しないことを選択している室内機の室内熱交換器への冷媒量を所定量以下に絞ることにより、乾燥運転を実施していない他室の快適性を損ねることを防ぐことができる。
【００１１】
また、室内空気と冷媒とが熱交換を行う複数の室内熱交換器と、室内熱交換器での熱交換を促進させ室内へ送風する室内送風機を備え、一室の室内機が乾燥運転を実施している間は、選択手段で連動しないことを選択している室内機の室内送風機の運転を停止することにより、さらに効果的に、乾燥運転を実施していない他室の快適性を損ねることを防ぐことができる。
【００１２】
第２の発明の多室型空気調和機は、特に第１の発明において、乾燥運転は暖房サイクルでの運転を行うことにより、短時間で室内熱交換器の温度を上昇させることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における多室型空気調和機の冷凍サイクルの構成図である。本実施の形態では、一台の室外機１に二台の室内機２ａおよび２ｂが接続された場合について説明するが、これに限定されることはなく、例えば、一台の室外機に三台の室内機またはそれ以上の台数の室内機を接続させてもよい。
【００１５】
本実施の形態における冷凍サイクルは、冷媒を圧縮する圧縮機３と、冷媒の順路を切り替える四方弁９と、冷媒と室外空気とが熱交換を行う室外熱交換器６と、絞り手段である膨張弁８ａおよび８ｂ、冷媒と室内空気とが熱交換を行う室内熱交換器４ａおよび４ｂとが冷媒配管で環状に接続されている。なお、室内熱交換器４ａと室内熱交換器４ｂとはそれぞれ並列に設けられ、それぞれ個別の部屋を空調する。
【００１６】
また、室外熱交換器６と室内熱交換器４ａとの間には膨張弁８ａが設けられ、室外熱交換器６と室内熱交換器４ｂとの間には膨張弁８ｂが設けられている。この膨張弁８ａおよび８ｂには、ステッピングモータ等によって弁開度をパルス制御可能に構成された電動膨張弁が用いられており、減圧と冷媒の分配を行っている。
【００１７】
また、室外機１の内部には、マイクロコンピュータおよびその周辺回路で構成される室外制御装置２０を有しており、室内機で生じる湿気をなくすための乾燥運転を実行する制御シーケンスを備えている。
【００１８】
そして、暖房サイクルでの運転時には、図１に実践矢印で示すように、圧縮機３から出た高温冷媒が四方弁９（実践経路）を通過し、室内熱交換器４ａおよび４ｂで放熱した後、膨張弁８ａおよび８ｂを通り、室外熱交換器６で吸熱した後、さらに四方弁９を通過し
、圧縮機３へ吸入される。
【００１９】
また、冷房サイクルでの運転時には、図１に点線矢印で示すように、圧縮機３から出た高温冷媒が四方弁９（点線経路）を通過し、室外熱交換器６で放熱した後、膨張弁８ａおよび８ｂを通り、並列に接続された室内熱交換器４ａおよび４ｂのそれぞれで吸熱した後、さらに四方弁９を通過し、圧縮機３へ吸入される。
【００２０】
なお、室外熱交換器６には冷媒と空気との熱交換を促進する室外送風機７を備え、室内熱交換器４ａおよび４ｂのそれぞれには冷媒と空気との熱交換を促進する室内送風機５ａおよび５ｂを備えている。
【００２１】
また、室内機２ａおよび２ｂのそれぞれには部屋の温度を検出する室内空気吸込み温度検出手段である温度センサ１０ａおよび１０ｂを備えている。
【００２２】
さらに、室内機２ａおよび２ｂのそれぞれに対して個別に運転指示を行うリモコン装置１１ａおよび１１ｂを備えており、リモコン装置１１ａおよび１１ｂのそれぞれには、ユーザーが好みの運転モード（冷房運転、暖房運転、送風運転、ドライ運転など）を設定する運転モード設定部１２ａおよび１２ｂや、冷房運転時に室内機内部で生じる湿気をなくすための乾燥運転を設定する乾燥運転設定部１４ａおよび１４ｂや、他室の乾燥運転に連動して乾燥運転を実施するか否かを選択する選択手段である乾燥運転連動選択部１５ａおよび１５ｂを少なくとも有している。
【００２３】
なお、リモコン装置１１ａおよび１１ｂには、従来の空気調和機のリモコン装置に搭載されているような、風向変更を設定する操作部や、風量変更を設定する操作部などが設けられていることは言うまでもない。また、室内機２ａおよび２ｂの内部には、室外機に設けられた室外制御装置２０に指示を送ったり、室内機２ａおよび２ｂ内の駆動機構の制御を行ったりするための室内制御装置２１ａおよび２１ｂを有している。
【００２４】
また、室外制御装置２０の構成について説明する。室外制御装置２０には、運転モード設定部１２ａおよび１２ｂで設定された運転モードや、風量、設定温度、乾燥運転の連動有無などを記憶する運転モード記憶部１６と、温度センサ１０ａおよび１０ｂの検出値を記憶する室内空気吸込み温度記憶部１７と、乾燥運転時間を記憶する乾燥運転時間記憶部１８と、乾燥運転を行う室内機の台数をカウントする乾燥運転台数カウント部１９と、各信号から乾燥運転の判定を行う判定部２２と、室外機１内部の構成機器に指示を行う出力部２３とを有している。
【００２５】
図３は、本実施の形態における乾燥運転時のフローチャートである。以下、図３を用いて、乾燥運転について説明する。
【００２６】
まず、ステップ１において乾燥運転を開始する。そして乾燥運転を開始すると、信号が運転モード記憶部１６に入力され、判定部２２へ乾燥運転を開始する信号を出力し、判定部２２では現在の空気調和機の運転状況を判断して、部屋の快適性を損なわずに効果的な乾燥運転を行う制御を実行する。
【００２７】
そして、ステップ２において自室の乾燥運転が開始されたかどうかを判断し、自室の乾燥運転が開始された場合であれば、ステップ３に進む。一方、自室の乾燥運転では無い場合にはステップ１８へ進み、乾燥運転連動選択部１５ａまたは１５ｂにおいて「連動する」を選択している場合にはステップ３へ進むが、「連動しない」を選択している場合にはステップ１９へ進む。
【００２８】
そして、ステップ１９では、他室が乾燥運転中かどうかを判断し、他室が乾燥運転中であればステップ２０へ進み、乾燥運転を行わない部屋の室内送風機を停止する。ここで、さらに効果的に行うために、ステップ２１では室内機に設けられている風向変更羽（図示せず）を気流が室内に放出されるのを防ぐ方向に駆動させる（好ましくは閉める）。さらに、ステップ２２へ進み、乾燥運転を行わない部屋の室内熱交換器への冷媒量を絞る膨張弁の開度を絞り、わずかに冷媒が流れる程度まで絞り、ステップ１９へ戻る。そして、ステップ１９で他室が乾燥運転で無い場合には、ステップ１２へ進む。ここで、膨張弁を完全に閉としない理由は、完全に閉にしてしまうと室内熱交換器に液冷媒が溜まり不具合（冷媒量不足）が発生するために、わずかに開くようにしている。
【００２９】
次にステップ３において、自室の室内機が停止または送風運転中か否かを判断する。ステップ３において停止中または送風運転中の場合には、ステップ４に進み暖房サイクルでの乾燥運転の時間Ｔａ（例えば、１０分）を設定して乾燥運転時間記憶部１８に記憶させてステップ５へ進む。なお、暖房運転による乾燥運転の時間Ｔａを１０分と設定したが、これに限定されるものではない。
【００３０】
そしてステップ５では、乾燥運転を行わなければならない対象の室内機の台数をカウントする。そしてステップ６では、室内機の台数に応じて圧縮機の周波数を決定し、ステップ７において暖房サイクルによる乾燥運転を行う。なお、このとき温度センサ１０ａまたは１０ｂの信号は無視して、圧縮機の周波数を決定する。
【００３１】
そして、ステップ８において暖房サイクルによる乾燥運転の時間が、設定した時間Ｔａ以上を経過すると、ステップ９へ進み、送風運転による乾燥運転の時間Ｔｂ（例えば、１０分）を設定して乾燥運転時間記憶部１８に記憶させてステップ１０へ進み、送風運転による乾燥運転を行う。なお、送風運転による乾燥運転の時間Ｔｂを１０分と設定したが、これに限定されるものではない。
【００３２】
そして、ステップ１１において送風運転による乾燥運転の時間が、設定した時間Ｔｂ以上を経過すると、ステップ１２へ進み、元の運転状態に戻る。
【００３３】
次に、ステップ１３において冷房運転中またはドライ運転中か否かを判断し、冷房運転またはドライ運転中であれば、ステップ１４へ進み、暖房運転であればステップ１７へ進む。ステップ１７へ進んだ場合には、室内機の内部を乾燥させる必要性は無いため、乾燥運転をキャンセルし、ステップ１２へ進み、元の運転を行う。
【００３４】
また、ステップ１４へ進んだ後は、一旦内部の湿気を放出して少なくした方が効果的であるため、まず送風運転による乾燥運転を一定時間行う。よって、ステップ１４では送風運転による乾燥運転の時間Ｔｃ（例えば、１０分）を設定して乾燥運転時間記憶部１８に記憶させてステップ１５へ進む。なお、送風運転による乾燥運転の時間Ｔｃを１０分と設定したが、これに限定されるものではない。
【００３５】
そして、ステップ１５で送風運転による乾燥運転を実施し、ステップ１６にて送風運転による乾燥運転の時間が、設定した時間Ｔｃ以上を経過すると、ステップ４へ進み、暖房サイクルによる乾燥運転を行うステップへと順次進む。
【００３６】
なお、本実施の形態において乾燥運転の時間Ｔａ、Ｔｂ、Ｔｃを仮想的に設定したが、例えば、乾燥運転の時間Ｔａ、Ｔｂ、Ｔｃは、元の運転時間の長さに応じて算出するように構成しても良い。その場合には、運転時間による湿気の多さに応じて乾燥運転を変更できるので、より快適性を向上させることができる。
【００３７】
また、冷房運転中、またはドライ運転中にいきなり暖房サイクルによる乾燥運転に切り替えると、高温多湿の空気が室内空間に放出されてしまうので、一旦、送風運転による乾燥運転を行った後に、暖房サイクルによる乾燥運転を行うことで、室内機の内部の湿気を低下させてから暖房サイクルによる乾燥運転を行うことができ、室内の快適性も維持することができる。
【産業上の利用可能性】
【００３８】
以上のように本発明は、複数台接続された室内機の内部乾燥を他室の快適性の影響を最小限に抑えることが可能となるので、ビル用マルチエアコン等の用途にも適用できる。
【符号の説明】
【００３９】
１  室外機
２ａ  室内機
２ｂ  室内機
３  圧縮機
４ａ  室内熱交換器
４ｂ  室内熱交換器
６  室外熱交換器
１５ａ  乾燥運転連動選択部
１５ｂ  乾燥運転連動選択部
【図１】
0005671701.tif 000002
【図２】
0005671701.tif 000003
【図３】
0005671701.tif 000004